(57)【特許請求の範囲】
【請求項１】
流れ方向の異なる２つの屋根面の交差線に沿って配設される棟部材であって、
下面が開口した溝部を有する金属製の押出形材からなり、
前記押出形材の上面は、前記各屋根面に沿って傾斜する２つの傾斜面により断面逆Ｖ字形状もしくは断面Ｖ字形状に成形されており、
前記押出形材は、その側面間に配設された補強部又は側面の内側に突き出す突当部を有し、前記補強部又は前記突当部が、前記溝部に嵌合させた部材の上面に当接することを特徴とする棟部材。
【請求項２】
前記押出形材の両側面には、それぞれ前記傾斜面と平行に外側へ張り出す張出部が形成されることを特徴とする請求項１に記載の棟部材。
【請求項３】
前記押出形材の上面に、突出部が形成されていることを特徴とする請求項１又は請求項２に記載の棟部材。
【請求項４】
前記押出形材は、アルミニウム合金製であることを特徴とする請求項１乃至請求項３のいずれか一項に記載の棟部材。
【発明の詳細な説明】
【０００１】
【発明の属する技術分野】
流れ方向の異なる２つの屋根面の交差部である大棟、隅棟あるいは谷などに沿って配設される棟部材に関する。
【０００２】
【従来の技術】
近年の建築基準法の仕様規定から性能規定への改正に起因して、強度の割に軽量で、腐食しにくく、加工やユニット化が容易であるという特徴をもったアルミニウム合金製の押出形材を木造建物の屋根架構の骨組材として用いる試みがある。
【０００３】
ところで、従来の木造建物において、流れ方向の異なる２つの屋根面が逆Ｖ字形状に交差する大棟、隅棟、あるいはＶ字形状に交差する谷など（以下、単に棟と称する）には、棟に沿って、棟木、隅木（隅垂木）あるいは谷木などの木製の棟部材が配設されている。そして、棟部材の上面は、屋根面に沿って、例えば棟木や隅木であれば逆Ｖ字形状（山形状）に成形され、谷木であればＶ字形状（谷形状）に成形されている。
【０００４】
【発明が解決しようとする課題】
しかしながら、棟木、隅木あるいは谷木などの棟部材が木材からなる場合には、天然の丸太または大型の木材を、前記のような形状に切削しなければならないので、手間と時間を要する。さらに、製材作業に伴って、端材や切り屑などが多く発生するため、森林資源を有効に利用しているとは言い難い。また、棟部材の設置作業は、高所での作業となるため、安全性や作業性といった観点から、棟部材は、軽量であることが望ましい。
【０００５】
本発明は、このような事情に鑑みてなされたものであり、その目的とするところは、容易にかつ安価に製造可能であり、さらに軽量で作業性のよい棟部材を提案する点にある。
【０００６】
【課題を解決するための手段】
本発明の請求項１に記載の棟部材は、流れ方向の異なる２つの屋根面の交差線に沿って配設される棟部材であって、下面が開口した溝部を有する金属製の押出形材からなり、前記押出形材の上面は、前記各屋根面に沿って傾斜する２つの傾斜面により断面逆Ｖ字形状もしくは断面Ｖ字形状に成形されており、前記押出形材は、その側面間に配設された補強部又は側面の内側に突き出す突当部を有し、前記補強部又は前記突当部が、前記溝部に嵌合させた部材の上面に当接することを特徴とする。
【０００７】
かかる棟部材によれば、その上面が、流れ方向の異なる２つの屋根面に沿って、断面逆Ｖ字形状もしくは断面Ｖ字形状に成形されているので、例えば、屋根面に沿って配設される垂木、母屋、野地板などを容易にかつ正確に取り付けることができる。また、棟部材は、金属製の押出形材であり、木材のような切削作業も不要なので、容易かつ安価に製造できるとともに、製造に伴う端材や切り屑なども発生しないので原材料を有効に利用できる。また、押出形材によれば、リブや補強板を付加して断面性能を向上させた棟部材を容易に製造できるので、例えば、屋根荷重の大きさなどにより、棟部材に大きな断面性能が要求される場合であっても、対応が容易である。また、かかる棟部材によれば、下面が開口した溝部を有しているので、棟部材を他の部材との接合が容易にかつ強固に行える。すなわち、例えば、束材との接合であれば、溝部に束材の上端部を挿入し、この束材に対してボルト接合するだけでよく、また、束材が溝部に抱持された状態で接合されるので、部材同士を単に突き合わせて接合するものに比べて接合部の強度が高い。
【０００８】
本発明の請求項２に係る棟部材は、請求項１に記載の棟部材であって、前記押出形材の両側面には、それぞれ前記傾斜面と平行に外側へ張り出す張出部が形成されることを特徴とする。
【０００９】
かかる棟部材によれば、両側面に形成した張出部は、上面の傾斜面と平行であり、すなわち、屋根面の勾配と等しい勾配をもつので、例えば、屋根面に沿って配設される垂木や母屋などを、容易にかつ正確に取り付けることができる。
【００１０】
本発明の請求項３に係る棟部材は、請求項１又は請求項２に記載の棟部材であって、前記押出形材の上面に、突出部が形成されていることを特徴とする。
【００１２】
本発明の請求項４に係る棟部材は、請求項１乃至請求項３のいずれか一項に記載の棟部材であって、前記押出形材は、アルミニウム合金製であることを特徴とする。
【００１３】
かかる棟部材によれば、強度の割に軽量で、腐食しにくいというアルミニウム合金のメリットを活かした棟部材を形成することができる。すなわち、木材や鉄鋼に比べて、棟部材が軽量になるので、棟部材の取り扱いが容易になり、作業性が向上するとともに、高所での作業をより安全に行うことができる。さらに、棟部材の軽量化に伴って、屋根架構全体の軽量化を図ることが可能で、したがって、屋根架構を支持する部材の簡略化・簡素化を図ることが可能になるので、建物全体のコストを下げることができる。また、アルミニウム合金は、リサイクルにも適しているので、資源を有効に活用することもできる。
【００１４】
【発明の実施の形態】
以下、添付した図面を参照しつつ、本発明に係る棟部材の実施の形態を詳細に説明する。なお、同一の要素には同一の符号を付し、重複する説明は省略する。
【００１５】
本発明に係る棟部材は、図６に示すように、流れ方向の異なる２つの屋根面２０ａ，２０ｂの交差線たる大棟２０、屋根面２０ａ，３０ｂの交差線たる隅棟３０、屋根面４０ａ，２０ｂの交差線たる谷４０などに沿って配設される。
【００１６】
（第１の実施形態）
第１の実施形態に係る棟部材１は、隅棟３０（図６参照）に沿って配設されるものである。棟部材１は、金属製の押出形材からなり、図１および図２（ａ）に示すように、その上面２は、傾斜面２ａ、２ｂにより断面逆Ｖ字形状に成形されている。また、図３に示すように、傾斜面２ａは、屋根面２０ａに沿って傾斜し、傾斜面２ｂは、屋根面３０ｂに沿って傾斜する。
【００１７】
棟部材１の側面３ａ，３ｂの下端部には、傾斜面２ａ，２ｂと平行に外側へ張り出す張出部４ａ，４ｂが形成されている。すなわち、張出部４ａ，４ｂはそれぞれ、屋根面２０ａ，３０ｂと平行である。また、棟部材１の側面３ａ，３ｂ間には、棟部材１の断面性能を向上させるために、板状部材からなる補強部５が配設されている。さらに、側面３ａ，３ｂには、他の部材との接合のためのボルト挿通孔３ｃが適宜な位置に穿設されている。また、側面３ａ，３ｂと補強部５とにより、断面溝形の溝部７が形成され、棟部材１の下面が開口する。また、側面３ａ，３ｂの下端部６ａ，６ｂ（溝部７の下端部）の肉厚を薄く形成することにより、溝部７の内幅が拡幅されている。これにより、後述するように、溝部７への真束１２あるいは接合部材１３の挿入が容易になる。なお、図示の実施形態では、下端部６ａ，６ｂとその上方の部位とに段差があり、すなわち、階段状に形成されているが、この段差にテーパーを設けてもよい。あるいは、図示は省略するが、下端部６ａ，６ｂにおいて、下端縁に向かって徐々に肉厚が薄くなるように形成してもよい。これらにより、溝部７の内面が滑らかになり、真束１２などの溝部７への挿入が一層容易になる。また、下端部６ａ，６ｂの肉厚を薄くするだけではなく、張出部４ａ，４ｂの基端部（下端部６ａ，６ｂの下端縁）に丸みを持たせてもよい。これによっても、溝部７への真束１２などの挿入が容易になる。
【００１８】
また、棟部材１は、金属製の押出形材からなるが、アルミニウム合金製の押出形材が好適である。すなわち、強度の割に軽量で、腐食しにくいというアルミニウム合金のメリットを活かした棟部材１を形成することができる。また、棟部材１の上面２、側面３ａ，３ｂ、張出部４ａ，４ｂなどは、本実施形態では平板形状であるが、これに限定されることはなく、例えば、棟部材１の適宜な位置にリブなどを付加して断面性能の向上させてもよい。また、上面２、側面３ａ，３ｂおよび補強部５により囲まれた部位は中空パイプ状に形成されているが、この部位が密実であってもよい。なお、棟部材１は、押出形材からなるので、長手方向に等断面である。
【００１９】
このように構成された棟部材１は、図４に示すように、所定の位置に立設する真束１２と横架材１６上に固定された接合部材１３とに接合される。ここで、接合部材１３は、横架材１６よりも上方に突出する凸部１３ａとその下端から側方に延出して横架材１６の上面に固定される固定部１３ｂとを有する。また、凸部１３ａの上部は、棟部材１の溝部７の内面と同一の断面形状を有し、溝部７に嵌合可能である。さらに、凸部１３ａの上面は、隅棟勾配すなわち棟部材１の長手方向の勾配に合わせて傾斜して形成され、補強部５の下面に当接する。また、凸部１３ａにはボルト挿通孔１３ｃが穿設されている。
【００２０】
以下、棟部材１により、隅棟３０（図６参照）付近の屋根架構を構築する手順について説明する。
【００２１】
まず、図４に示すように、棟部材１を、所定の位置に立設する真束１２および接合部材１３の上方から覆い被せ、その溝部７に真束１２の上端部と接合部材１３の凸部１３ａとを嵌合させる。このとき、溝部７の下端の内幅が拡幅され、真束１２および接合部材１３の凸部１３ａよりも広がっているので、棟部材１を真束１２および凸部１３ａへ容易に嵌め込むことができる。
【００２２】
次に、棟部材１の側面３ａ，３ｂのボルト挿通孔３ｃと接合部材１３の凸部１３ａのボルト挿通孔１３ｃおよび真束１２のボルト挿通孔１２ａとの位置合わせをした後に、ボルトＢをボルト挿通孔３ｃへ側面３ｂ側から挿通し、接合部材１３の凸部１３ａ（真束１２）を貫通して側面３ａ側に突出したボルトＢの先端にナットＮを螺合させて、棟部材１と真束１２および接合部材１３とを接合する。また、棟部材１はアルミニウム合金製の押出形材からなり、木材や鉄鋼に比べて軽量なので、取り扱いが容易になり、作業性が向上するとともに、高所での作業をより安全に行うことができる。
【００２３】
そして、図３に示すように、棟部材１の張出部４ａ，４ｂにアルミニウム合金製の押出形材からなる垂木部材１４，１４の端部を載置するとともに、傾斜面２ａ，２ｂに野地板１５，１５を載置することにより、２つの屋根面が逆Ｖ字形状に交差する隅棟３０（図６参照）が構築される。このとき、傾斜面２ａ，２ｂおよび張出部４ａ，４ｂが、屋根面２０ａ，３０ｂに沿って成形されているので、屋根面に沿って配設される垂木部材１４や野地板１５を容易にかつ正確に取り付けることができる。
【００２４】
また、棟部材１は、アルミニウム合金製の押出形材であり、木材のような切削作業も不要なので、容易かつ安価に製造できるとともに、製造に伴う端材や切り屑なども発生しないので原材料を有効に利用できる。また、押出形材は、製造する際にリブや補強板を容易に付加できるので、例えば、屋根荷重の大きさなどにより、棟部材１に大きな断面性能が要求される場合であっても、対応が容易である。
【００２５】
さらに、棟部材１の軽量化に伴って、屋根架構全体の軽量化を図ることが可能で、したがって、屋根架構を支持する部材の簡略化・簡素化を図ることが可能になるので、建物全体のコストを下げることができる。また、アルミニウム合金は、リサイクルにも適しているので、資源を有効に活用することもできる。
【００２６】
なお、大棟２０、他の隅棟３１（図６参照）に沿って配設される棟部材の構成は、前記の棟部材１と同様であるので詳細な説明は省略する。
【００２７】
また、棟部材１の断面形状は前記したものに限定されることはなく、例えば、図２（ｆ）に示す棟部材１’のように、側面３ａ，３ｂの下端に補強部５’を配置してもよいし、図２（ｂ）に示すように、補強部５（５’）を省略してもよい。なお、補強部５を省略する場合、溝部７’は、側面３ａ，３ｂと上面２により構成される。その他の棟部材１’の態様としては、側面３ａ，３ｂの上端に、内側に突き出す突当部３ｄ，３ｅを形成し、溝部７’に嵌合させた接合部材１３の凸部１３ａの上面および真束１２の上面が突き当たるようにして、安定性を向上させたもの（図２（ｃ）参照）、図２（ｂ）に示す棟部材１’の傾斜面２ａ，２ｂを側面３ａ，３ｂよりも側方に延設して傾斜面２ａ’，２ｂ’とし、野地板１５などを設置しやすくしたもの（図２（ｄ）参照）、上面２の頂部に、上方に突出する突出部２ｃを形成し、野地板１５などの位置合わせを容易にしたもの（図２（ｅ）参照）、さらに、各要素を適宜組み合わせたものなど、様々な態様がある。
【００２８】
（第２の実施形態）
第２の実施形態に係る棟部材１０は、谷４０（図６参照）に沿って配設されるものである。棟部材１０は、図５（ａ）に示すように、棟部材の上面１１が、傾斜面１１ａ，１１ｂとにより断面Ｖ字形状に成形されている。また、傾斜面１１ａは、屋根面４０ａに沿って傾斜し、傾斜面１１ｂは、屋根面２０ｂに沿って傾斜する。その他の構成は、棟部材１と同様であるので詳細な説明は省略する。
【００２９】
また、棟部材１０の断面形状は前記したものに限定されることはなく、例えば、図５（ｆ）に示す棟部材１０’のように、側面３ａ，３ｂの下端に補強部５’を配置してもよいし、図５（ｂ）に示すように、補強部５（５’）を省略してもよい。その他の棟部材１０’の態様として、側面３ａ，３ｂに、内側に突き出す突当部３ｆ，３ｇを形成し、溝部７’に嵌合させた接合部材（図示せず）などの上面が突き当たるようにして、安定性を向上させたもの（図５（ｃ）参照）、図５（ｂ）に示す棟部材１０’の傾斜面１１ａ，１１ｂを側方に延設して傾斜面１１ａ’，１１ｂ’とし、野地板１５などを設置しやすくしたもの（図５（ｄ）参照）、傾斜面１１ａ’，１１ｂ’の谷付近に、上方に突出する突出部１１ｃ，１１ｄを形成し、野地板１５などの位置合わせを容易にしたもの（図５（ｅ）参照）、さらに、各要素を適宜組み合わせたものなど、様々な態様がある。
【００３０】
【発明の効果】
本発明の棟部材によれば、屋根面に沿って配設される垂木や野地板を容易にかつ正確に取り付けることができる。また、棟部材は、木材のような切削作業が不要な金属製の押出形材からなるので、容易かつ安価に製造できるとともに、製造に伴う端材や切り屑なども発生しないので、原材料を有効に利用できる。
【００３１】
特に、アルミニウム合金製の押出形材から形成される場合は、木材や鉄鋼に比べて軽量なので、棟部材の取り扱いが容易になり、作業性が向上するとともに、高所での作業をより安全に行うことができる。さらに、棟部材の軽量化に伴って、屋根架構全体の軽量化を図ることが可能で、したがって、屋根架構を支持する部材の簡略化・簡素化を図ることが可能になるので、建物全体のコストを下げることができる。また、アルミニウム合金は、リサイクルにも適しているので、資源を有効に活用することもできる。
【図面の簡単な説明】
【図１】  本発明に係る棟部材の実施形態を示す斜視図である。
【図２】  （ａ）は図１に示す棟部材の断面図、（ｂ）〜（ｆ）は棟部材の他の態様を示す断面図である。
【図３】  棟部材と屋根架構を構成する部材との取り合いを示す断面図である。
【図４】  隅棟における棟部材と真束および横架材（接合部材）との接合部を示す斜視図である。
【図５】  （ａ）〜（ｆ）は棟部材を谷に適用した場合の実施形態を示す断面図である。
【図６】  本発明の棟部材の使用箇所を示す概略図である。
【符号の説明】
１，１’，１０，１０’    棟部材
２，１１      上面
２ａ，２ｂ，１１ａ，１１ｂ    傾斜面
２ｃ，１１ｃ，１１ｄ    突出部
３ａ，３ｂ    側面
３ｃ          ボルト挿通孔
３ｄ〜３ｇ    突当部
４ａ，４ｂ    張出部
５，５’      補強部
６ａ，６ｂ    下端部
７，７’      溝部
１２          真束
１３          接合部材
１４          垂木部材
１５          野地板
１６          横架材
２０          大棟
３０，３１    隅棟
４０          谷
２０ａ，２０ｂ，３０ａ，４０ａ    屋根面
Ｂ            ボルト
Ｎ            ナット
【図１】
0003763073.tif 000002
【図２】
0003763073.tif 000003
【図３】
0003763073.tif 000004
【図４】
0003763073.tif 000005
【図５】
0003763073.tif 000006
【図６】
0003763073.tif 000007